(57)【要約】【課題】電気通信事業者、情報配信依頼者および携帯情報端末機のユーザのいずれもが利益を得ることができるように、効果的な情報配信を達成する。【解決手段】通信事業者サーバ３は、携帯電話機２との間で通信網１を介してデータ通信を行うとともに、インターネット４に接続されている。依頼者サーバ５は、通信事業者サーバ３に対して、携帯電話機２宛の電子メールの配信を依頼する。通信事業者サーバ３は、携帯電話機２のユーザの属性情報が登録されるユーザ情報データベース３２と、所定の属性情報が登録されている携帯電話機２の識別情報に関連づけて特典情報を登録する特典情報登録部３３と、電子メール配信依頼を受け付けてたときに、所定の属性情報が登録されている携帯電話機２の識別情報を抽出する配信先識別情報抽出部３６と、抽出された識別情報の携帯電話機２に電子メールを配信する電子メール配信部３５とを備えている。【選択図】　　　　図１
2004054625.tif 000002
【特許請求の範囲】
【請求項１】
電気通信事業者が提供する通信網を介して電子メールを送受信することができる携帯情報端末機と、
この携帯情報端末機との間で上記通信網を介してデータ通信を行うとともに、所定の通信回線に接続された上記電気通信事業者のサーバである通信事業者サーバと、
上記通信回線に接続され、上記通信事業者サーバに対して、上記携帯情報端末機宛の電子メールの配信を依頼する依頼者サーバとを含み、
上記通信事業者サーバは、
上記携帯情報端末機のユーザの属性情報が登録されるユーザ情報データベースと、
上記携帯情報端末機からの所定の登録操作に応答して、当該携帯情報端末機の識別情報に関連づけて、当該携帯情報端末機のユーザの属性情報を上記ユーザ情報データベースに登録する属性情報登録手段と、
上記ユーザ情報データベースに所定の属性情報が登録されている携帯情報端末機の識別情報に関連づけて、特典情報を登録する特典情報登録手段と、
上記依頼者サーバから所定の電子メールの配信依頼を受け付けたときに、上記ユーザ情報データベースを参照して、所定の属性情報が登録されている携帯情報端末機の識別情報を抽出する配信先識別情報抽出手段と、
この配信先識別情報抽出手段によって抽出された識別情報を有する携帯情報端末機を宛先として当該電子メールを配信する電子メール配信手段とを含むことを特徴とする情報配信システム。
【請求項２】
上記ユーザ情報データベースは、上記依頼者サーバから配信依頼される電子メールの受信を許可することを表す受信許可情報を上記属性情報として登録可能なものであり、
上記特典情報登録手段は、上記ユーザ情報データベースに上記受信許可情報が登録されている携帯情報端末機の識別情報に関連づけて、当該携帯情報端末機のユーザに所定の特典を与えるための特典情報を登録するものであり、
上記配信先識別情報抽出手段は、上記依頼者サーバから、所定の電子メールの配信依頼を受け付けたときに、上記ユーザ情報データベースに上記受信許可情報が登録されている携帯情報端末機の識別情報を抽出するものであることを特徴とする請求項１記載の情報配信システム。
【請求項３】
上記ユーザ情報データベースは、上記依頼者サーバから配信されるアンケートメールの受信を許可することを表すアンケートメール受信許可情報を上記属性情報として登録可能なものであり、
上記配信先識別情報抽出手段は、上記依頼者サーバから、所定のアンケートメールの配信依頼を受け付けたときに、上記ユーザ情報データベースに上記アンケートメール受信許可情報が登録されている携帯情報端末機の識別情報を抽出するものであり、
上記通信事業者サーバは、上記アンケートメールに対する回答がされた携帯情報端末機の識別情報を特定する回答端末特定手段をさらに含み、
上記特典情報登録手段は、上記回答端末特定手段によって特定された識別情報に関連づけて、当該携帯情報端末機のユーザに所定の特典を与えるための特典情報を登録するものであることを特徴とする請求項１または２記載の情報配信システム。
【請求項４】
上記通信事業者サーバは、上記ユーザ情報データベースに登録すべき属性情報を収集するための登録アンケートメールを携帯情報端末機に送信する登録アンケートメール送信手段をさらに含み、
上記属性情報登録手段は、携帯情報端末機から上記登録アンケートメールに対する回答がされたときに、その回答結果を属性情報として上記ユーザ情報データベースに登録するものであることを特徴とする請求項１ないし３のいずれかに記載の情報配信システム。
【請求項５】
上記依頼者サーバは、所定の属性を指定して、電子メールの配信を上記通信事業者サーバに依頼するものであり、
上記配信先識別情報抽出手段は、上記依頼者サーバから、所定の電子メールの配信依頼を受け付けたときに、上記指定される属性に適合する属性情報が関連づけて登録されている識別情報を抽出するものであることを特徴とする請求項１ないし４のいずれかに記載の情報配信システム。
【請求項６】
電気通信事業者が提供する通信網を介して電子メールを送受信することができる携帯情報端末機と、この携帯情報端末機との間で上記通信網を介してデータ通信を行うとともに、所定の通信回線に接続された上記電気通信事業者のサーバである通信事業者サーバと、上記通信回線に接続され、上記通信事業者サーバに対して、上記携帯情報端末機宛の電子メールの配信を依頼する依頼者サーバとを含むシステムにより、上記携帯情報端末機に電子メールを配信する情報配信方法であって、
上記携帯情報端末機のユーザの属性情報をユーザ情報データベースに登録する属性情報登録ステップと、
上記ユーザ情報データベースに所定の属性情報が登録されている携帯情報端末機の識別情報に関連づけて、特典情報を登録する特典情報登録ステップと、
上記依頼者サーバから所定の電子メールの配信依頼を受け付けたときに、上記ユーザ情報データベースを参照して、所定の属性情報が登録されている携帯情報端末機の識別情報を抽出する配信先識別情報抽出ステップと、
上記抽出された識別情報を有する携帯情報端末機を宛先として当該電子メールを配信する電子メール配信ステップとを含むことを特徴とする情報配信方法。
【請求項７】
上記属性情報登録ステップは、上記ユーザ情報データベースに、上記依頼者サーバから配信依頼される電子メールの受信を許可することを表す受信許可情報を上記属性情報として登録するステップを含み、
上記特典情報登録ステップは、上記ユーザ情報データベースに上記受信許可情報が登録されている携帯情報端末機の識別情報に関連づけて、当該携帯情報端末機のユーザに所定の特典を与えるための特典情報を登録するステップを含み、
上記配信先識別情報抽出ステップは、上記依頼者サーバから、所定の電子メールの配信依頼を受け付けたときに、上記ユーザ情報データベースに上記受信許可情報が登録されている携帯情報端末機の識別情報を抽出するステップを含むことを特徴とする請求項６記載の情報配信方法。
【請求項８】
上記属性情報登録ステップは、上記ユーザ情報データベースに、上記依頼者サーバから配信されるアンケートメールの受信を許可することを表すアンケートメール受信許可情報を上記属性情報として登録するステップを含み、
上記配信先識別情報抽出ステップは、上記依頼者サーバから、所定のアンケートメールの配信依頼を受け付けたときに、上記ユーザ情報データベースに上記アンケートメール受信許可情報が登録されている携帯情報端末機の識別情報を抽出するステップを含み、
上記特典情報登録ステップは、上記アンケートメールに対する回答がされた携帯情報端末機の識別情報に関連づけて、当該携帯情報端末機のユーザに所定の特典を与えるための特典情報を登録するステップを含むことを特徴とする請求項６または７記載の情報配信方法。
【請求項９】
上記ユーザ情報データベースに登録すべき属性情報を収集するための登録アンケートメールを携帯情報端末機に送信する登録アンケートメール送信ステップをさらに含み、
上記属性情報登録ステップは、携帯情報端末機から上記登録アンケートメールに対する回答がされたときに、その回答結果を属性情報として上記ユーザ情報データベースに登録するステップを含むことを特徴とする請求項６ないし８のいずれかに記載の情報配信方法。
【請求項１０】
上記依頼者サーバから、所定の属性を指定して、電子メールの配信を上記通信事業者サーバに依頼するステップをさらに含み、
上記配信先識別情報抽出ステップは、上記依頼者サーバから、所定の電子メールの配信依頼を受け付けたときに、上記指定される属性に適合する属性情報が関連づけて登録されている識別情報を抽出するステップを含むことを特徴とする請求項６ないし９のいずれかに記載の情報配信方法。
【請求項１１】
電気通信事業者が提供する通信網を介して電子メールを送受信することができる携帯情報端末機との間で上記通信網を介してデータ通信を行うとともに、所定の通信回線に接続され、この通信回線に接続された依頼者サーバからの配信依頼を受けて上記携帯情報端末機に電子メールを配信する通信事業者サーバであって、
上記携帯情報端末機のユーザの属性情報が登録されるユーザ情報データベースと、
上記携帯情報端末機からの所定の登録操作に応答して、当該携帯情報端末機の識別情報に関連づけて、当該携帯情報端末機のユーザの属性情報を上記ユーザ情報データベースに登録する属性情報登録手段と、
このユーザ情報データベースに所定の属性情報が登録されている携帯情報端末機の識別情報に関連づけて、特典情報を登録する特典情報登録手段と、
上記依頼者サーバから所定の電子メールの配信依頼を受け付けたときに、上記ユーザ情報データベースを参照して、所定の属性情報が登録されている携帯情報端末機の識別情報を抽出する配信先識別情報抽出手段と、
この配信先識別情報抽出手段によって抽出された識別情報を有する携帯情報端末機を宛先として当該電子メールを配信する電子メール配信手段とを含むことを特徴とする通信事業者サーバ。
【請求項１２】
上記ユーザ情報データベースは、上記依頼者サーバから配信依頼される電子メールの受信を許可することを表す受信許可情報を上記属性情報として登録可能なものであり、
上記特典情報登録手段は、上記ユーザ情報データベースに上記受信許可情報が登録されている携帯情報端末機の識別情報に関連づけて、当該携帯情報端末機のユーザに所定の特典を与えるための特典情報を登録するものであり、
上記配信先識別情報抽出手段は、上記依頼者サーバから、所定の電子メールの配信依頼を受け付けたときに、上記ユーザ情報データベースに上記受信許可情報が登録されている携帯情報端末機の識別情報を抽出するものであることを特徴とする請求項１１記載の通信事業者サーバ。
【請求項１３】
上記ユーザ情報データベースは、上記依頼者サーバから配信されるアンケートメールの受信を許可することを表すアンケートメール受信許可情報を上記属性情報として登録可能なものであり、
上記配信先識別情報抽出手段は、上記依頼者サーバから、所定のアンケートメールの配信依頼を受け付けたときに、上記ユーザ情報データベースに上記アンケートメール受信許可情報が登録されている携帯情報端末機の識別情報を抽出するものであり、
上記アンケートメールに対する回答がされた携帯情報端末機の識別情報を特定する回答端末特定手段をさらに含み、
上記特典情報登録手段は、上記回答端末特定手段によって特定された識別情報に関連づけて、当該携帯情報端末機のユーザに所定の特典を与えるための特典情報を登録するものであることを特徴とする請求項１１または１２記載の通信事業者サーバ。
【請求項１４】
上記ユーザ情報データベースに登録すべき属性情報を収集するための登録アンケートメールを携帯情報端末機に送信する登録アンケートメール送信手段をさらに含み、
上記属性情報登録手段は、携帯情報端末機から上記登録アンケートメールに対する回答がされたときに、その回答結果を属性情報として上記ユーザ情報データベースに登録するものであることを特徴とする請求項１１ないし１３のいずれかに記載の通信事業者サーバ。
【請求項１５】
上記依頼者サーバは、所定の属性を指定して、電子メールの配信を上記通信事業者サーバに依頼するものであり、
上記配信先識別情報抽出手段は、上記依頼者サーバから、所定の電子メールの配信依頼を受け付けたときに、上記指定される属性に適合する属性情報が関連づけて登録されている識別情報を抽出するものであることを特徴とする請求項１１ないし１４のいずれかに記載の通信事業者サーバ。
【発明の詳細な説明】
【０００１】
【発明の属する技術分野】
この発明は、電子メール機能を備えた携帯電話機等の携帯情報端末機を用いた情報配信システムおよび情報配信方法、ならびにこのような情報配信に用いられる通信事業者サーバに関する。
【０００２】
【従来の技術】
電子メール送受信機能を備えた携帯電話機の普及により、携帯電話機への電子メール配信によるマーケティング活動が活発になってきている。しかし、電気通信事業者（いわゆるキャリア）のなかには、携帯電話機からの電子メールの送信時のみならず、携帯電話機宛の電子メールの受信時にも、その携帯電話機のユーザに対して、通信データ量に応じた通信料の課金を行うものがあるから、ユーザは、無用な広告メールを受信する場合でさえも、通信料を支払わなければならない。とくに、不特定のユーザに対して一斉に送りつけられる電子メール（いわゆる迷惑メール）の受信に対して発生する通信料に関して言えば、携帯電話機のユーザは、不利益を被るばかりで何の利益も得られないことが多く、憤りがつのるばかりである。
【０００３】
一方、広告メールを発信する企業は、目的の顧客層に広告メールが届いているかどうかを確認することができず、また、必ずしも顧客のニーズに的確に対応した情報の提供を実現できているとは限らない。
つまり、携帯電話機の電子メール機能を利用したマーケティングは、企業にとっては、効果的な宣伝効果を必ずしも期待することができず、顧客である携帯電話機のユーザにとっては、通信料の負担が大きくなるばかりであり、電気通信事業者のみが利益を得る状態となっている。ただし、最近では、電気通信事業者は、携帯電話機のユーザに対して、所定の条件に当てはまる電子メールの受信を拒否できるオプションを提供して、ユーザの便宜を図っている。そのため、電気通信事業者の通信料収入が必ずしも順調に伸びているわけではない。
【０００４】
【発明が解決しようとする課題】
そこで、この発明の目的は、電子メール機能を有する携帯情報端末機を用いて効果的な情報配信を行うことができ、これにより、電気通信事業者、情報配信依頼者および携帯情報端末機のユーザのいずれもが利益を得ることができる情報配信システムおよび情報配信方法、ならびにこのような情報配信に用いられる通信事業者サーバを提供することである。
【０００５】
【課題を解決するための手段および発明の効果】
上記の目的を達成するための請求項１記載の発明は、電気通信事業者が提供する通信網を介して電子メールを送受信することができる携帯情報端末機と、この携帯情報端末機との間で上記通信網を介してデータ通信を行うとともに、所定の通信回線（たとえば、インターネットなどのネットワーク）に接続された上記電気通信事業者のサーバである通信事業者サーバと、上記通信回線に接続され、上記通信事業者サーバに対して、上記携帯情報端末機宛の電子メールの配信を依頼する依頼者サーバとを含み、上記通信事業者サーバは、上記携帯情報端末機のユーザの属性情報が登録されるユーザ情報データベースと、上記携帯情報端末機からの所定の登録操作に応答して、当該携帯情報端末機の識別情報に関連づけて、当該携帯情報端末機のユーザの属性情報を上記ユーザ情報データベースに登録する属性情報登録手段と、上記ユーザ情報データベースに所定の属性情報が登録されている携帯情報端末機の識別情報に関連づけて、特典情報を登録する特典情報登録手段と、上記依頼者サーバから所定の電子メールの配信依頼を受け付けたときに、上記ユーザ情報データベースを参照して、所定の属性情報が登録されている携帯情報端末機の識別情報を抽出する配信先識別情報抽出手段と、この配信先識別情報抽出手段によって抽出された識別情報を有する携帯情報端末機を宛先として当該電子メールを配信する電子メール配信手段とを含むことを特徴とする情報配信システムである。
【０００６】
この情報配信システムに対応した情報配信方法の発明は、請求項６に記載されており、電気通信事業者が提供する通信網を介して電子メールを送受信することができる携帯情報端末機と、この携帯情報端末機との間で上記通信網を介してデータ通信を行うとともに、所定の通信回線に接続された上記電気通信事業者のサーバである通信事業者サーバと、上記通信回線に接続され、上記通信事業者サーバに対して、上記携帯情報端末機宛の電子メールの配信を依頼する依頼者サーバとを含むシステムにより、上記携帯情報端末機に電子メールを配信する情報配信方法であって、上記携帯情報端末機のユーザの属性情報をユーザ情報データベースに登録する属性情報登録ステップと、上記ユーザ情報データベースに所定の属性情報が登録されている携帯情報端末機の識別情報に関連づけて、特典情報を登録する特典情報登録ステップと、上記依頼者サーバから所定の電子メールの配信依頼を受け付けたときに、上記ユーザ情報データベースを参照して、所定の属性情報が登録されている携帯情報端末機の識別情報を抽出する配信先識別情報抽出ステップと、上記抽出された識別情報を有する携帯情報端末機を宛先として当該電子メールを配信する電子メール配信ステップとを含むことを特徴とする。
【０００７】
また、これらのシステムまたは方法において用いられる通信事業者サーバの発明は、請求項１１に記載されており、電気通信事業者が提供する通信網を介して電子メールを送受信することができる携帯情報端末機との間で上記通信網を介してデータ通信を行うとともに、所定の通信回線に接続され、この通信回線に接続された依頼者サーバからの配信依頼を受けて上記携帯情報端末機に電子メールを配信する通信事業者サーバであって、上記携帯情報端末機のユーザの属性情報が登録されるユーザ情報データベースと、上記携帯情報端末機からの所定の登録操作に応答して、当該携帯情報端末機の識別情報に関連づけて、当該携帯情報端末機のユーザの属性情報を上記ユーザ情報データベースに登録する属性情報登録手段と、このユーザ情報データベースに所定の属性情報が登録されている携帯情報端末機の識別情報に関連づけて、特典情報を登録する特典情報登録手段と、上記依頼者サーバから所定の電子メールの配信依頼を受け付けたときに、上記ユーザ情報データベースを参照して、所定の属性情報が登録されている携帯情報端末機の識別情報を抽出する配信先識別情報抽出手段と、この配信先識別情報抽出手段によって抽出された識別情報を有する携帯情報端末機を宛先として当該電子メールを配信する電子メール配信手段とを含むことを特徴とする。
【０００８】
これらの発明によれば、携帯情報端末機からの所定の登録操作によって、当該携帯情報端末機のユーザの属性情報がその識別情報に関連づけてユーザ情報データベースに登録される。このユーザ情報データベースに所定の属性情報が登録されていることを条件に、依頼者サーバから配信依頼された電子メール（たとえば広告メールまたはアンケートメールなどのように、配信先を具体的に特定せずに配信依頼される電子メール）が、その属性情報が登録されている識別情報の携帯情報端末機を宛先として配信される。その一方で、ユーザ情報データベースに所定の属性情報が登録されている携帯情報端末機の識別情報に関連づけて、特典情報が登録される。すなわち、ユーザに対して特典が与えられる。
【０００９】
このように、依頼者サーバからの電子メールは、特定の属性情報が登録されている携帯情報端末機のユーザに対してのみ選択的に配信されるから、目的のユーザ層に対して確実に電子メールを配信することができる。また、ユーザに対して特典が与えられるので、携帯情報端末機のユーザは、積極的に属性情報を登録することになり、これによって、依頼者サーバから配信依頼された電子メールを多数のユーザに対して配信できることが期待される。
【００１０】
このようにして、配信依頼者は情報の効率的な配信を期待でき、通信事業者はそれに伴う通信料収入の増加を期待でき、携帯情報端末機のユーザは特典を得ることができる。
請求項２記載の発明は、上記ユーザ情報データベースは、上記依頼者サーバから配信依頼される電子メールの受信を許可することを表す受信許可情報を上記属性情報として登録可能なものであり、上記特典情報登録手段は、上記ユーザ情報データベースに上記受信許可情報が登録されている携帯情報端末機の識別情報に関連づけて、当該携帯情報端末機のユーザに所定の特典を与えるための特典情報を登録するものであり、上記配信先識別情報抽出手段は、上記依頼者サーバから、所定の電子メールの配信依頼を受け付けたときに、上記ユーザ情報データベースに上記受信許可情報が登録されている携帯情報端末機の識別情報を抽出するものであることを特徴とする請求項１記載の情報配信システムである。
【００１１】
この情報配信システムに対応した情報配信方法の発明は、請求項７に記載されており、上記属性情報登録ステップは、上記ユーザ情報データベースに、上記依頼者サーバから配信依頼される電子メールの受信を許可することを表す受信許可情報を上記属性情報として登録するステップを含み、上記特典情報登録ステップは、上記ユーザ情報データベースに上記受信許可情報が登録されている携帯情報端末機の識別情報に関連づけて、当該携帯情報端末機のユーザに所定の特典を与えるための特典情報を登録するステップを含み、上記配信先識別情報抽出ステップは、上記依頼者サーバから、所定の電子メールの配信依頼を受け付けたときに、上記ユーザ情報データベースに上記受信許可情報が登録されている携帯情報端末機の識別情報を抽出するステップを含むことを特徴とする。
【００１２】
また、これらのシステムまたは方法において用いられる通信事業者サーバの発明は、請求項１２に記載されており、上記ユーザ情報データベースは、上記依頼者サーバから配信依頼される電子メールの受信を許可することを表す受信許可情報を上記属性情報として登録可能なものであり、上記特典情報登録手段は、上記ユーザ情報データベースに上記受信許可情報が登録されている携帯情報端末機の識別情報に関連づけて、当該携帯情報端末機のユーザに所定の特典を与えるための特典情報を登録するものであり、上記配信先識別情報抽出手段は、上記依頼者サーバから、所定の電子メールの配信依頼を受け付けたときに、上記ユーザ情報データベースに上記受信許可情報が登録されている携帯情報端末機の識別情報を抽出するものであることを特徴とする。
【００１３】
これらの発明によれば、ユーザ情報データベースに依頼者サーバから配信依頼される電子メールの受信を許可する受信許可情報を登録しておくことができるので、この受信許可情報が登録されている携帯情報端末機に対してのみ、依頼者サーバから配信依頼された電子メールが送信されることになる。これによって、広告メール等の配信によりユーザに不快感を与える機会を、著しく減少させることができる。
【００１４】
その一方で、受信許可情報がユーザ情報データベースに登録されているユーザに対しては、所定の特典を与えるための特典情報が特典情報登録手段によって登録されるから、ユーザによる受信許可情報の登録を促すことができる。これにより、多数のユーザが受信許可情報を登録することを期待できるので、依頼者サーバから配信依頼された電子メールを多数のユーザに対して配信することができる。これに応じて通信データ量が増大するから、電気通信事業者は十分な収益を得ることができる。
【００１５】
請求項３記載の発明は、上記ユーザ情報データベースは、上記依頼者サーバから配信されるアンケートメールの受信を許可することを表すアンケートメール受信許可情報を上記属性情報として登録可能なものであり、上記配信先識別情報抽出手段は、上記依頼者サーバから、所定のアンケートメールの配信依頼を受け付けたときに、上記ユーザ情報データベースに上記アンケートメール受信許可情報が登録されている携帯情報端末機の識別情報を抽出するものであり、上記通信事業者サーバは、上記アンケートメールに対する回答がされた携帯情報端末機の識別情報を特定する回答端末特定手段をさらに含み、上記特典情報登録手段は、上記回答端末特定手段によって特定された識別情報に関連づけて、当該携帯情報端末機のユーザに所定の特典を与えるための特典情報を登録するものであることを特徴とするである。
【００１６】
この情報配信システムに対応した情報配信方法の発明は、請求項８に記載されており、上記属性情報登録ステップは、上記ユーザ情報データベースに、上記依頼者サーバから配信されるアンケートメールの受信を許可することを表すアンケートメール受信許可情報を上記属性情報として登録するステップを含み、上記配信先識別情報抽出ステップは、上記依頼者サーバから、所定のアンケートメールの配信依頼を受け付けたときに、上記ユーザ情報データベースに上記アンケートメール受信許可情報が登録されている携帯情報端末機の識別情報を抽出するステップを含み、上記特典情報登録ステップは、上記アンケートメールに対する回答がされた携帯情報端末機の識別情報に関連づけて、当該携帯情報端末機のユーザに所定の特典を与えるための特典情報を登録するステップを含むことを特徴とする。
【００１７】
また、これらのシステムまたは方法において用いられる通信事業者サーバの発明は、請求項１３に記載されており、上記ユーザ情報データベースは、上記依頼者サーバから配信されるアンケートメールの受信を許可することを表すアンケートメール受信許可情報を上記属性情報として登録可能なものであり、上記配信先識別情報抽出手段は、上記依頼者サーバから、所定のアンケートメールの配信依頼を受け付けたときに、上記ユーザ情報データベースに上記アンケートメール受信許可情報が登録されている携帯情報端末機の識別情報を抽出するものであり、上記アンケートメールに対する回答がされた携帯情報端末機の識別情報を特定する回答端末特定手段をさらに含み、上記特典情報登録手段は、上記回答端末特定手段によって特定された識別情報に関連づけて、当該携帯情報端末機のユーザに所定の特典を与えるための特典情報を登録するものであることを特徴とする。
【００１８】
これらの発明によれば、ユーザ情報データベースにアンケートメールの受信を許可するアンケートメール受信許可情報を登録しておくことができるので、回答の意志があると期待されるユーザの携帯情報端末機に対してのみアンケートメールを配信できる。
一方、ユーザが携帯情報端末機を操作してアンケートメールに対して回答すると、当該携帯情報端末機の識別情報に関連づけて特典情報が登録されることになる。これにより、ユーザによるアンケートメール受信許可情報の登録を促すことができるから、依頼者サーバから配信依頼されたアンケートメールを多数の携帯情報端末機宛に配信できることが期待され、かつ、アンケートメールに対する高確率での回答を期待できる。
【００１９】
このようにして、依頼者サーバを運営する事業者等は、たとえばマーケティング情報の収集を効率的に行うことができる。一方、携帯情報端末機のユーザは、アンケートメールに回答することによる特典の利益を得ることができる。さらに、電気通信事業者は、通信データ量の増大による収益を上げることができる。
なお、アンケートメールは、アンケート項目を含んでいてもよいし、所定のネットワーク（たとえばインターネット）上におけるアンケートページの場所を表す情報（たとえば、ＵＲＬ：Ｕｎｉｆｏｒｍ　Ｒｅｓｏｕｒｃｅ　Ｌｏｃａｔｏｒ）を含んでいてもよい。アンケートメールにアンケート項目が含まれている場合には、これに対する回答は、当該アンケートメールに対する返信の形式で行われてもよい。また、アンケートメールにアンケートページの場所を表す情報が含まれている場合には、これに対する回答は、携帯情報端末機によって当該アンケートページにアクセスし、このアンケートページ上で、携帯情報端末機を用いて回答情報を記入することによって行われてもよい。
【００２０】
アンケートメールに対する回答がメールの返信によって行われる場合には、この返信元の携帯情報端末機を特定することによって、回答した携帯情報端末機の識別情報を特定できる。また、アンケートメールに対する回答がアンケートページにアクセスすることによって行われる場合には、たとえば、このアンケートページにアクセスした携帯情報端末機を特定することによって、回答した携帯情報端末機の識別情報を特定できる。
【００２１】
請求項４記載の発明は、上記通信事業者サーバは、上記ユーザ情報データベースに登録すべき属性情報を収集するための登録アンケートメールを携帯情報端末機に送信する登録アンケートメール送信手段をさらに含み、上記属性情報登録手段は、携帯情報端末機から上記登録アンケートメールに対する回答がされたときに、その回答結果を属性情報として上記ユーザ情報データベースに登録するものであることを特徴とするである。
【００２２】
この情報配信システムに対応した情報配信方法の発明は、請求項９に記載されており、上記ユーザ情報データベースに登録すべき属性情報を収集するための登録アンケートメールを携帯情報端末機に送信する登録アンケートメール送信ステップをさらに含み、上記属性情報登録ステップは、携帯情報端末機から上記登録アンケートメールに対する回答がされたときに、その回答結果を属性情報として上記ユーザ情報データベースに登録するステップを含むことを特徴とする。
【００２３】
また、これらのシステムまたは方法において用いられる通信事業者サーバの発明は、請求項１４に記載されており、上記ユーザ情報データベースに登録すべき属性情報を収集するための登録アンケートメールを携帯情報端末機に送信する登録アンケートメール送信手段をさらに含み、上記属性情報登録手段は、携帯情報端末機から上記登録アンケートメールに対する回答がされたときに、その回答結果を属性情報として上記ユーザ情報データベースに登録するものであることを特徴とする。
【００２４】
これらの発明によれば、通信事業者サーバから登録アンケートメールを携帯情報端末機に送信し、携帯情報端末機から当該登録アンケートメールに対して回答することにより、ユーザ情報データベースに属性情報が登録される。これにより、ユーザの属性情報を効率的に登録することができる。
また、上記特典情報登録手段により、登録アンケートメールに対して回答した携帯情報端末機の識別情報に関連づけて所定の特典を登録することとしておけば、登録アンケートメールに対する回答率を向上でき、ユーザ情報データベースへの属性情報の登録を促進することができる。
【００２５】
なお、登録アンケートメールは、登録すべき属性情報に関連するアンケート項目を含んでいてもよいし、所定のネットワーク（たとえばインターネット）上における登録アンケートページの場所を表す情報（たとえば、ＵＲＬ）を含んでいてもよい。登録アンケートメールに属性情報に関連するアンケート項目が含まれている場合には、これに対する回答は、当該登録アンケートメールに対する返信の形式で行われてもよい。また、登録アンケートメールに登録アンケートページの場所を表す情報が含まれている場合には、これに対する回答は、携帯情報端末機によって当該登録アンケートページにアクセスし、この登録アンケートページ上で、携帯情報端末機を用いて回答情報（属性情報）を記入することによって行われてもよい。
【００２６】
請求項５記載の発明は、上記依頼者サーバは、所定の属性を指定して、電子メールの配信を上記通信事業者サーバに依頼するものであり、上記配信先識別情報抽出手段は、上記依頼者サーバから、所定の電子メールの配信依頼を受け付けたときに、上記指定される属性に適合する属性情報が関連づけて登録されている識別情報を抽出するものであることを特徴とするである。
この情報配信システムに対応した情報配信方法の発明は、請求項１０に記載されており、上記依頼者サーバから、所定の属性を指定して、電子メールの配信を上記通信事業者サーバに依頼するステップをさらに含み、
上記配信先識別情報抽出ステップは、上記依頼者サーバから、所定の電子メールの配信依頼を受け付けたときに、上記指定される属性に適合する属性情報が関連づけて登録されている識別情報を抽出するステップを含むことを特徴とする。
【００２７】
また、これらのシステムまたは方法において用いられる通信事業者サーバの発明は、請求項１５に記載されており、上記依頼者サーバは、所定の属性を指定して、電子メールの配信を上記通信事業者サーバに依頼するものであり、
上記配信先識別情報抽出手段は、上記依頼者サーバから、所定の電子メールの配信依頼を受け付けたときに、上記指定される属性に適合する属性情報が関連づけて登録されている識別情報を抽出するものであることを特徴とする請求項１１ないし１４のいずれかに記載の通信事業者サーバ。
【００２８】
これらの発明によれば、依頼者サーバから指定された属性に適合する属性情報が登録された携帯情報端末機に対してのみ、依頼者サーバから配信依頼された電子メールが配信される。これにより、依頼者サーバを運用する事業者等は、たとえば、目的のユーザ層に対して、いわばピンポイントでマーケティング活動を行うことが可能になる。また、携帯情報端末機の個々のユーザに、それぞれが必要とする情報を選択的に配信できるから、各ユーザは効率的に情報の収集を行うことができる。
【００２９】
なお、上記通信事業者サーバは、依頼者サーバに対して手数料を課金するサーバ課金手段を含んでいてもよい。このサーバ課金手段は、依頼者サーバから配信依頼された電子メールを携帯情報端末機に配信するためのデータ通信の通信料を依頼者サーバに対して課金するものであってもよい。また、このサーバ課金手段は、通信事業者サーバから携帯情報端末機への電子メールの配信サービスのための手数料を依頼者サーバに課金するものであってもよい。さらに、、このサーバ課金手段は、携帯情報端末機から通信事業者サーバへのアンケートメールに対する回答のための通信（返信メールまたはアンケートページへのアクセス等）に要する通信料を依頼者サーバに対して課金するものであってもよい。
【００３０】
また、上記特典情報登録手段は、通信料の割引特典情報を登録するものであってもよいし、所定の特典（商品やサービスなど）と交換可能なポイント情報を特典情報として登録するものであってもよい。
【００３１】
【発明の実施の形態】
以下では、この発明の実施の形態を、添付図面を参照して詳細に説明する。
図１は、この発明の一実施形態に係る情報配信システムの構成を説明するためのブロック図である。この情報配信システムは、電気通信事業者（いわゆるキャリア）が提供する無線通信網である通信網１を介して電子メールの送信および受信を行うことができる携帯情報端末機としての携帯電話機２に対して、広告メールやアンケートメールを配信するためのシステムである。
【００３２】
通信網１には、上記電気通信事業者のサーバである通信事業者サーバ３が接続されており、この通信事業者サーバ３は、さらに、インターネット４に接続されている。このインターネット４には多数のサーバが接続されているが、それらのサーバの中には、電気通信事業者に対して、広告メールまたはアンケートメールの配信を依頼する依頼者（たとえば企業）のサーバである依頼者サーバ５が含まれている。
【００３３】
図２は、この実施形態の情報配信システムによる情報配信態様の一例を示す図である。携帯電話機２のユーザは、通信事業者サーバ３を運営する電気通信事業者が提供する通信サービスの加入者であり、携帯電話機２を操作することによって、通信事業者サーバ３に対し、広告メールの受信を許可する受信許可情報を登録しておくことができる。この登録は、たとえば、通信事業者サーバ３が運営する所定のウェブサイト上で行うようにしてもよいし、電気通信事業者がその加入者に対して提供するページ（たとえば、ｉモードメニュー）上での操作によって行うようにしてもよい。
【００３４】
電気通信事業者は、受信許可情報を登録したユーザに対し、通信料の割引（たとえば定額割引または定率割引）や、商品またはサービスなどの特典と交換可能なポイント等の特典を付与する。
一方、通信事業者サーバ３は、インターネット４を介し、依頼者サーバ５から広告メールの配信依頼を受け付けて、この広告メールを、受信許可情報が登録された携帯電話機２に対して選択的に配信する。広告メールの配信依頼の受け付けは、配信依頼電子メールの受信によって行われてもよいし、電子通信事業者がインターネット４上において運営する所定の配信受付ウェブサイトにおいて配信依頼を受け付けてもよい。
【００３５】
通信事業者サーバ３は、広告メールの配信の見返りとして、所定の手数料を依頼者サーバ５に対して課金する。この手数料には、受信許可情報が登録された携帯電話機２に広告メールを配信するために要したデータ通信のための通信料が含まれていてもよい。
また、通信事業者サーバ３は、携帯電話機２のユーザに対して、通信料に応じた手数料を課金するが、ユーザに与えられる特典が通信料の割引である場合には、課金される手数料は、その割引分を差し引いた額となる。さらに、広告メールの配信のためのデータ通信料を依頼者サーバ５に課金することとしている場合には、ユーザに対する請求額からは、広告メールの配信のための通信料は除かれる。
【００３６】
このようにして、依頼者サーバ５を運営する企業等は、携帯電話機２のユーザに対して、通信料を負担させたりすることなく、広告メールを配信することができる。また、受信許可情報が登録されたユーザ以外には広告メールが配信されないので、ユーザに不快感を与えることがない。また、広告メールがいわゆる迷惑メールとなって、ユーザに被害を与えたりすることもない。
一方、広告メールの配信を受ける携帯電話機２のユーザは、通信料の割引やポイント加算等の特典が与えられるため、受信許可情報を積極的に通信事業者サーバ３に登録することになる。その結果、通信事業者サーバ３は、広告メールを多数のユーザに配信することになるから、電気通信事業者は通信料収入を増加させることができる。
【００３７】
ユーザが携帯電話機２を用いて通信事業者サーバ３に登録手続を行うとき、属性情報として、上記の受信許可情報だけでなく、たとえば、生年月日、性別、配偶者の有無、子供の有無、職業、年収、興味分野、趣味、興味のある音楽分野および興味のあるスポーツ分野等を併せて登録できるようにしてもよい。このようにしておけば、依頼者サーバ５から、特定の属性を有するユーザを指定して、この選択されたユーザの携帯電話機２に対して、当該広告メールを配信するように依頼することができる。これにより、広告メールを、確実に、目的のユーザ層に対してピンポイントで配信することができる。
【００３８】
再び図１を参照して、上記のような情報配信システムを実現するために通信事業者サーバ３において準備される構成について説明する。
通信事業者サーバ３は、携帯電話機２からの所定の登録操作に応じて、ユーザ情報データベース３２に個々のユーザの属性情報を、そのユーザの携帯電話機２の識別番号と対応づけて登録する属性登録部３１を備えている。さらに、通信事業者サーバ３は、特典情報データベース３４に、個々のユーザの携帯電話機２の識別情報に対応づけて、特典情報を登録するための特典情報登録部３３を備えている。また、通信事業者サーバ３は、電子メールを配信すべき携帯電話機２の識別情報を抽出する配信先識別情報抽出部３６と、この配信先識別情報抽出部３６によって抽出された識別情報に対応した携帯電話機２を宛先として電子メールを配信する電子メール配信部３５とを備えている。
【００３９】
さらに、通信事業者サーバ３は、依頼者サーバ５（すなわち、当該依頼者サーバ５を運営する依頼者）に対して手数料を課金するためのサーバ課金部３７と、携帯電話機２のユーザである加入者に対して通信料を課金するための加入者課金部３８と、個々の携帯電話機２ごとの通信料を算出する通信料演算部３９とを備えている。
依頼者サーバ５から、インターネット４を介して、広告メールの配信依頼を受け付けると、配信先識別情報抽出部３６は、ユーザ情報データベース３２を参照し、属性情報として受信許可情報が登録されている携帯電話機２の識別情報を抽出する。この抽出された識別情報の携帯電話機２を宛先として、電子メール配信部３５が、依頼者サーバ５から配信依頼された広告メールを配信する。この電子メールの配信に要する通信料は、通信料演算部３９において演算されることになる。
【００４０】
広告メールの配信に要する通信料を依頼者が負担することとしている場合には、この演算された通信料が、サーバ課金部３７によって依頼者サーバ５に課金されることになる。広告メールの通信料をユーザが負担することとしている場合には、通信料演算部３９が演算した通信料は加入者課金部３８によって個々の携帯電話機２のユーザに課金される。
受信許可情報をユーザ情報データベース３２に登録することによる特典が、通信料の割引である場合には、加入者課金部３８は、特典情報データベース３４を参照して、当該割引分を差し引いた請求額を、ユーザに対して課金することになる。特典情報データベース３４に登録された特典情報は、電気通信事業者から携帯電話機２のユーザに定期的に送付されるステートメント（請求書）内に付記するようにしてもよい。
【００４１】
ユーザ情報データベース３２に、受信許可情報だけでなく、上記のような種々の属性を登録できるようにしている場合には、依頼者サーバ５は、特定の属性（年齢層、職業など）を指定して、広告メールの配信を通信事業者サーバ３に依頼することができる。この場合、配信先識別情報抽出部３６は、受信許可情報が登録されているユーザであって、かつ、依頼者サーバ５から指定された属性に該当する属性情報がユーザ情報データベース３２に登録されたユーザの識別情報を抽出する。この抽出された識別情報に対応する携帯電話機２を宛先として、電子メール配信部３５から、その広告メールが配信されることになる。
【００４２】
図３は、この発明の他の実施形態に係る情報配信システムの概要を説明するためのブロック図である。この実施形態の説明では、上述の図１を再び参照する。上述の実施形態では、携帯電話機２のユーザが、携帯電話機２を用いて通信事業者サーバ３に対して所定の登録手続を自発的に行うこととしているが、これに対して、この実施形態では、通信事業者サーバ３の電子メール配信部３５から任意の（たとえばすべての）携帯電話機２に対して、登録手続のための登録アンケートメールを送信し、ユーザが、携帯電話機２を用いて、この登録アンケートメールに対して回答（返信）することにより、通信事業者サーバ３において、属性情報の登録が行われるようになっている。
【００４３】
すなわち、通信事業者サーバ３から携帯電話機２に登録アンケートメールが送信されると、携帯電話機２のユーザは、必要に応じて、この登録アンケートメールに対して回答する。
登録アンケートメールには、アンケート項目を含ませることができる。この場合、登録アンケートに対する回答は、当該登録アンケートメールに対する返信の形式で行うことができる。また、登録アンケートメールには、電気通信事業者がインターネット４上で運営する所定の登録アンケートページの場所（ＵＲＬ）を含ませることができる。この場合、ユーザは、携帯電話機２によってその登録アンケートページにアクセスし、この登録アンケートページ上で携帯電話機２を用いて回答内容を記入することによって、アンケートに対する回答を行うことができる。
【００４４】
登録アンケートの内容は、広告メールの受信を許可するか拒否するか、生年月日、性別、配偶者の有無、子供の有無、職業、年収、興味分野、趣味、興味のある音楽分野および興味のあるスポーツ分野などの属性情報に関連するアンケート項目を含んでいてもよい。これらの質問項目の一部または全部に対して携帯電話機２を用いて回答することにより、通信事業者サーバ３の属性登録部３１の働きにより、回答内容に対応する属性情報が、ユーザ情報データベース３２に、その携帯電話機２の識別情報と対応づけて登録される。
【００４５】
これ以外の点については、上記の図２の情報配信システムと同様である。
このように、この実施形態では、通信事業者サーバ３から、携帯電話機２のユーザに対して、属性情報の登録を働きかけることができるので、広告メールのより効果的な配信が可能になる。
図４は、この発明のさらに他の実施形態に係る情報配信システムの概要を説明するためのブロック図である。この実施形態では、依頼者サーバ５からは、通信事業者サーバ３に対して、たとえばマーケティング情報の収集を目的としたアンケートメールの配信が依頼され、通信事業者サーバ３が、そのアンケートメールを携帯電話機２に配信する。
【００４６】
通信事業者サーバ３は、予め、ユーザの携帯電話機２に対して登録アンケートメールを送信し、この登録アンケートメール内の質問事項に、企業等からのアンケートメールの受信を許可するか拒否するかを尋ねる項目を含ませておく。ユーザが、携帯電話機２を用いて、アンケートメールの受信を許可する旨の回答をすると、属性登録部３１の働きにより、アンケートメール受信許可情報が、ユーザ情報データベース３２に、当該携帯電話機２の識別情報と対応づけて登録される。
【００４７】
依頼者サーバ５から、インターネット４を介して、通信事業者サーバ３に対してアンケートメールの配信依頼がされると、配信先識別情報抽出部３６は、ユーザ情報データベース３２を参照し、アンケートメール受信情報が登録されているユーザの携帯電話機２の識別情報を抽出する。この抽出された識別情報に対応する携帯電話機２を宛先として、電子メール配信部３５によって、アンケートメールが配信されることになる。
【００４８】
アンケートメールには、アンケート項目を含ませることができる。この場合、アンケートに対する回答は、当該アンケートメールに対する返信の形式で行うことができる。また、アンケートメールには、依頼者サーバ５を運営する企業等がインターネット４上で運営する所定のアンケートページの場所（ＵＲＬ）を含ませることができる。この場合、ユーザは、携帯電話機２によってそのアンケートページにアクセスし、このアンケートページ上で携帯電話機２を用いて回答内容を記入することによって、アンケートに対する回答を行うことができる。
【００４９】
アンケートメールに対して、携帯電話機２から回答のための返信メールが通信事業者サーバ３に送られてきた場合には、通信事業者サーバ３は、そのアンケート回答メールを依頼者サーバ５へと転送する。
通信料演算部３９は、アンケートメールの配信に要する通信料、アンケート回答メールの受信に要する通信料、アンケート回答メールの依頼者サーバ５への転送に要する通信料、ならびにアンケートページへのアクセスおよびその回答のために要する通信料を演算する。これらの通信料の一部または全部を依頼者が負担することとしている場合には、サーバ課金部３７は、その負担分の通信料を加算した手数料を依頼者サーバ５に対して課金する。一部または全部の通信料の負担がユーザによりなされることとされているときは、通信料演算部３９によって演算された負担分の通信料が、加入者課金部３８により、ユーザに対して課金されることになる。
【００５０】
一方、通信事業者サーバ３には、アンケートメールに対して回答した携帯電話機２を特定するための回答端末特定部４０が設けられている。この回答端末特定部４０は、アンケートメールに対して回答してきた携帯電話機２の識別情報を特定する。回答した携帯電話機２の識別情報は、アンケートメールに対する回答がメールの返信によって行われた場合には、その返信メールの送信元の携帯電話機２の識別情報によって特定できる。また、アンケートメールに対する回答がアンケートページにアクセスすることによって行われる場合には、たとえば、当該アンケートページにアクセスした携帯電話機２の識別情報を特定すればよい。
【００５１】
特典情報登録部３３は、回答端末特定部４０によって特定された識別情報部に関連づけて、特典情報データベース３４に所定の特典情報を登録する。
この特典情報の登録処理は、たとえば、アンケートメールに回答する毎に、予め定めるポイントを加算していく処理であってもよい。
また、特典情報の登録処理は、アンケートメールに回答する毎に、所定の割引通信料を特典情報データベース３４に登録する処理であってもよい。この場合、加入者課金部３８は、特典情報データベース３４に登録された割引通信料を差し引いた額をユーザに対して課金する。
【００５２】
依頼者サーバ５は、通信事業者サーバ３に対して、配信対象のユーザの属性を指定してアンケートメールの配信を依頼することもできる。この場合、配信先識別情報抽出部３６は、ユーザ情報データベース３２を参照し、アンケートメール受信許可情報が登録されているユーザであって、依頼者サーバ５から指定された属性に適合する属性情報が登録されているユーザの携帯電話機２の識別情報を抽出する。この抽出された識別情報の携帯電話機２を宛先として、電子メール配信部３５から、当該アンケートメールが配信されることになる。
【００５３】
以上のように、この実施形態によれば、アンケートメール受信許可情報が登録されているユーザに対してのみアンケートメールが配信されるから、アンケートメールの受信者が不快感を抱くことがない。また、アンケートメールの配信に要する通信料を依頼者が負担することとしておけば、携帯電話機２のユーザの通信料負担が増えることもない。
さらに、電気通信事業者からユーザに対して特典が付与されることにより、ユーザによるアンケートメール受信許可情報の登録を促すことができる。このようにして、アンケートメールを発信する依頼者は、受信者に不快感を与えることなくアンケートメールの配信を達成することができる。また、アンケートメールに対して回答することにより、電気通信事業者から特典が付与されるので、アンケートメールに対する回答を効率的に収集することができる。
【００５４】
このように、アンケートメールの配信およびその回答の収集を効率的に行える結果として、電気通信事業者を介する通信データ量が増大し、これにより電気通信事業者は十分な収益をあげることができる。
なお、図４に示されたシステムを図２に示されたシステムのように修正することもできる。すなわち、通信事業者サーバ３から携帯電話機２に対して登録アンケートメールを送信するのではなく、ユーザが携帯電話機２を用いて通信事業者サーバ３に対し、積極的にアンケートメール受信許可情報を登録するようにしてもよい。
【００５５】
以上、この発明の３つの実施形態について説明したが、この発明は他の形態で実施することもできる。たとえば、上記の実施形態では、アンケートメールに回答することによる特典の付与が、電気通信事業者によって行われるようにしているが、この特典の付与がアンケートメール配信依頼者によって、携帯電話機２のユーザに対して直接的に行われるようにしてもよい。
また、図３および図４の実施形態において、登録アンケートメールに対する回答に対して、所定の特典を与えることとしてもよい。すなわち、登録アンケートメールに対して回答した携帯電話機２の識別情報を回答端末特定部４０において特定し、この特定された識別情報に関連づけて所定の特典情報を特典情報登録部３３によって特典情報データベース３４に登録すればよい。これにより、登録アンケートメールに対する回答を促すことができ、ユーザの属性情報を効率的に収集することができる。
【００５６】
さらに、図２の実施形態において、依頼者サーバ５から配信依頼される電子メールは、アンケートメールであってもよい。すなわち、ユーザ情報データベース３２に受信許可情報が登録されているユーザに対しては、広告メールであるかアンケートメールであるかを問わずに配信することとしてもよい。
また、受信許可情報とアンケート受信許可情報とを併用することによって、アンケートメールの受信を制限する一方で広告メールを受信したりすることができる。また、アンケートメール以外の広告メールの受信を制限することもできる。
【００５７】
さらに、上記の実施形態では、ユーザ情報データベース３２に、受信許可情報および／またはアンケート受信許可情報が登録されることとしたが、広告メール等の受信を拒否する受信拒否情報や、アンケートメールの受信を拒否するアンケートメール受信拒否情報を登録するようにしてもよい。すなわち、受信拒否情報が登録されていない状態は受信許可情報が登録されている状態と実質的に等価であり、アンケート受信拒否情報が登録されていない状態はアンケート受信許可情報が登録されている状態と実質的に等価であるとみなして、同様のメール配信処理を行ってもよい。
【００５８】
また、上記の実施形態では、携帯情報端末機として携帯電話機を例にとったが、携帯電話機以外でも、電気通信事業者が提供する通信網を介して電子メールを送受信することができる携帯情報端末機であれば、この発明に係る情報配信システムに組み込んで用いることができる。
その他、特許請求の範囲に記載された事項の範囲で種々の設計変更を施すことが可能である。
【図面の簡単な説明】
【図１】情報配信システムの構成を説明するためのブロック図である。
【図２】この発明の一実施形態の情報配信システムによる情報配信態様の一例を示す図である。
【図３】この発明の他の実施形態に係る情報配信システムの概要を説明するためのブロック図である。
【図４】この発明のさらに他の実施形態に係る情報配信システムの概要を説明するためのブロック図である。
【符号の説明】
１　　通信網
２　　携帯電話機
３　　通信事業者サーバ
４　　インターネット
５　　依頼者サーバ
３１　　属性登録部
３２　　ユーザ情報データベース
３３　　特典情報登録部
３４　　特典情報データベース
３５　　電子メール配信部
３６　　配信先識別情報抽出部
３７　　サーバ課金部
３８　　加入者課金部
３９　　通信料演算部
４０　　回答端末特定部
【図１】
2004054625.tif 000003
【図２】
2004054625.tif 000004
【図３】
2004054625.tif 000005
【図４】
2004054625.tif 000006